(57)【要約】本発明は、可撓性リボンケーブル（１）と電気回路の素子（５）との間にあり、これにより可撓性リボンケーブル（１）が接続用端部の一側にある剥離された導電領域を有し、可撓性フラットリボンケーブル端部が内部に固締され、かつ弾性要素（３）が剥離された端部に圧力を与える、コネクター配置構成に関する。素子（５）は、ハウジング(２)用ソケットを備える。このソケット内で、ハウジング（２）が該ソケット（４）内のその端子位置にある時に、該ハウジング（２）は挟持し得るものであり、かつ可撓性ケーブル（１）の剥離された領域が押圧される、内部に配置されたストリップ（６）と接触し得る。
2006505106.tif 000002
【特許請求の範囲】
【請求項１】
可撓性フラットケーブル（１）と電気回路の素子（５）との間のコネクター配置構成であって、
前記可撓性フラットケーブル（１）は、その一端が接続されるべき一側に絶縁材剥離導電性領域を有し、
前記可撓性フラットケーブル（１）の端部がクランプされ、かつ弾性要素（３）が前記剥離領域に圧力を加えるハウジング（２）を備え、
前記素子（５）は前記ハウジング（２）用アプテーク（４）を備え、
前記ハウジング（２）は内部で錠止し得るものであり、かつ内部に導電性トラック（６）が配置され、
前記可撓性フラットケーブル（１）の剥離領域は、前記ハウジング（２）が前記アプテーク（４）内の最終位置にある時に押圧される、前記コネクター配置構成において、
前記素子（５）は電子基板であり、
前記アプテーク（４）は、導電トラック（１５）の配置構成より上にある前記回路基板（５）に取り付けられるブラケット形態をしており、
前記ハウジング（２）は前記回路基板に対して横方向且つ直角に案内されることを特徴とするコネクター配置構成。
【請求項２】
前記ハウジング（２）は、
これを通じて、絶縁材が剥離された前記可撓性フラットケーブル（１）の領域を押圧することができる、前記床に形成された少なくとも１つの開口（７）を具備する底部分（２ａ）と、
前記開口（７）とは反対側にある前記ばね要素（３）を備える、前記底部分に取り付けられるとともに、これにより前記可撓性フラットケーブル（１）が圧力を受ける、頂部部分（２ｂ）と、を備えることを更なる特徴とする、請求項１に記載のハウジング。
【請求項３】
前記可撓性フラットケーブル（１）の端部には、前記ハウジング（２）内に導入される小穴（８）が形成され、前記ハウジング（２）内には前記底部ハウジングにヒンジ結合された保持ピン（１０）を具備するストレイン・リリーフ（９）が錠止可能な態様で係合することを更なる特徴とする、請求項１または請求項２に記載のハウジング。
【請求項４】
前記弾性要素（３）は１つ以上の鋼製リーフばね（３a、３ｂ）から成ることを更なる特徴とする、請求項１から請求項３までのいずれか１項に記載のコネクター。
【請求項５】
前記ハウジングの頂部（２ｂ）はその前側で前記ハウジングの底部（２ｂ）にヒンジ結合され、かつ該ハウジングの頂部（２ａ）にキャッチフック（１１）によって適所に錠止し得ることを更なる特徴とする、請求項１から請求項４までのいずれか１項に記載のコネクター。
【請求項６】
前記ハウジング（２）は、前記ブラケット（４）の側壁に形成されたキャッチ開口（１３）内のキャッチアーム（１２）によって適所に錠止し得ることを更なる特徴とする、請求項１に記載のコネクター配置構成。
【請求項７】
前記アプテーク（４）の頂部内側には、少なくとも１つの傾斜路（１７）が形成され、前記傾斜路は、前記ハウジング（２）の頂部側に形成された少なくとも１つの開口を通じて、全て又は個々の鋼製ばねを、絶縁材が剥離された前記可撓性フラットケーブル（１）上に下向きに押圧することを特徴とする、請求項１から請求項６までのいずれか１項に記載のコネクター配置構成。
【発明の詳細な説明】
【技術分野】
【０００１】
本発明は、請求項１の前文による、可撓性フラットケーブルと電気回路の素子との間のコネクター配置構成に関する。こうしたコネクター配置構成は欧州特許公開第０４４３６５５号公報から周知である。
【背景技術】
【０００２】
可撓性フラットケーブルは、バスシステム、例えば、自動車製造におけるバスシステムにおいて常に増大する用途を見出している。環状回路を構成するように接続され、かつ該環状回路によって多様な素子の多重制御が生じる、可撓性フラットケーブルは、コスト面及び、特に、重いケーブル・ハーネスに取って替わる。
【０００３】
従来技術文献から、可撓性フラットケーブル用コネクター配置構成が周知であり、該コネクター配置構成によって２つのこうしたリボンケーブルは互いに接続される。この目的のために、それぞれの導電体ストランドは、リボンケーブル間の接続サイトで絶縁材から剥離される。また、これらのサイトは、弾性圧力加圧下でクランプによって互いに押圧される（例えば、特許文献１参照）。
【特許文献１】欧州特許第０２００６６９１号明細書
【０００４】
この単純な接続方法は、それ自体有用であることが判明したが、この一般的な可撓性フラットケーブルと共に、該可撓性フラットケーブルがなお回路基板を具備して製造し得るように、互いの下に配置された可撓性フラットケーブルの接続部にのみに適用し得る。
【０００５】
本発明は、一般的なコネクター配置構成を更に開発する課題に基づき、
【０００６】
この問題は特許請求の範囲の各請求項発明により解決される。
【０００７】
本発明の好ましい実施形態の特徴は、従属請求項で特徴づけられる。本発明は、接続される可撓性リボンのケーブル端部にハウジングを固定するという基本概念に基づく。このケーブル端部では、接続されるべき領域が弾性ばね力を受け、このばね力によって、ハウジングが係合接触領域にあるアプテークによって係合プラグに押圧されるように、この領域は係合プラグの接触面に押圧される。
【０００８】
図面を参照し、２つの実施形態例の記載に基づいて、以下に、本発明をより詳細に説明する。
【発明を実施するための最良の形態】
【０００９】
図１の左上は、ハウジング２がその正面端部に取り付けられた可撓性フラットケーブル１を示す。ハウジング２は、その底部に、本願の図１では視認できない、開口が形成されている。この開口を通じて、可撓性フラットケーブル１の領域がハウジング２の床より上で下向きに突出する。図１に示す実施形態の電気素子である回路基板５は、接触面６を具備する導電性トラックを備える。アプテーク(uptake)は、例えば、接着結合によって、これらの接触面６より上の回路基板５に取り付けられる。このアプテーク４は、接触面６上に延在する幅広ブラケットの形態を有する。ハウジング２は、接触面６とブラケットの上部横断壁との間の空所内に挿入される。この操作は図１右下に示されている。その最終位置では、ハウジング２は、ハウジングの側壁に固着され、かつキャッチ開口１３内に突出するキャッチアームによってアプテーク４内に錠止される。
【００１０】
図２左上は、アプテーク４内におけるハウジング２の最終位置を示す部分的に切り取った図を示す。アプテーク４がその正面側で閉じ得ることも明らかである。ハウジング２の内部には鋼ばね３が取り付けられ、該鋼ばねの自由端はプラグをする方向とは反対の方向に凸状に曲げ戻される。その結果、ハウジング２の床にある開口７の領域では、鋼ばね３の丸く膨らんだ領域は、可撓性フラットケーブル１及び後者の開口を押圧する。
【００１１】
ハウジング２がアプテーク４内に挿入される場合、鋼ばね３によって加えられる押圧力は比較的小さい。端部に向かう挿入運動の終わりごろのみ、各鋼ばね３の裏面は、アプテークに構築され、鋼ばね３をさらに下向きに曲げて、このように必要な接触力を作り出す傾斜路１７と接触する。このように、接触面に対する摩擦による、初期の小さな挿入力及び下部摩耗が達成される。図１で分かるように、ばねが各鋼ばね３のために１つの傾斜路によって押圧されるばね当たり１つの開口を形成することは可能である；しかしながら、全ての鋼ばねに対して１つの傾斜路及び１つの開口を形成することは可能である。
【００１２】
図２の右下には開放されたハウジング２が示されている。ハウジング２は、その内部に可撓性フラットケーブルの挿入端部が挿入される底部２ａから成る。ケーブル端部は、内部にストレイン・リリーフ９の保持ピン１０が係合する可撓性フラットケーブル１のヘッド端部に対して相対的な位置に形成された小穴８が形成されている。ストレイン・リリーフは、リボン・ケーブルの長さ方向に対して直角な方向のハウジング２の底部２ａの本体にヒンジ結合され、かつ可撓性フラットケーブル１の挿入後に回動し得る。これにより、保持ピン１０を突出部８に係合可能にする。この位置では、ストレイン・リリーフ９は、ハウジング２の底部２ａの側面フランク上に錠止される。ハウジング２の頂部２ｂは、ハウジング２の底部２ａの自由端に対して回動する態様でヒンジ留めされる。鋼ばね３も頂部に取り付けられる。本願明細書に示した実施形態では、鋼ばね３は櫛の形態を取る；すなわち、導電トラックの数に対応する多くのばね鋼３ａ、３ｂは、互いに対して平行に配置される。その結果、接続される各導電トラックはそれ自体の鋼ストリップばねの圧力を個々に受ける。個々のばねストリップの案内は、これらのばねストリップの間に配置されたリブによって及びスロット１６が形成された中間プレート１５によって、図示した実施形態の例で達成される。これらのスロット内に個々のばねストリップ３ａ、３ｂのばねアーチが頂部ハウジング部２ｂが回動して閉鎖する間に沈下し得るものであり、かつ長手方向に直角な方向に案内される。ハウジング２の頂部２ｂはキャッチ１１によって底部２ａ及び対応するキャッチ肩部に錠止される。ハウジング２は少々の遊びを持たせてアプテーク４によって案内される。その結果、露出した導電体領域は、弾性ばね力による図１に示す回路基板の対応する接触面６上に押圧される。単純で安全な接触はこのように保証される。
【００１３】
本発明のこの実施形態例の記載は説明の目的のみに役立ち、限定されるものとして理解すべきでない。
【図面の簡単な説明】
【００１４】
【図１】接続に先立ち、かつ接触位置にある本発明のコネクター配置構成の実施形態を示す図である。
【図２】部分的に切り取り、かつ開放位置にあるコネクター配置構成の斜視図である。
【符号の説明】
【００１５】
１  可撓性フラットケーブル
２  ハウジング
２ａ  底部
２ｂ  頂部
３  鋼ばね
３ａ、３ｂ  バネストリップ
４  アプテーク
５  回路基板
６  接触面
７  開口
８  穿孔
９  ストレイン・リリーフ
１０  保持ピン
１１  キャッチ
１２  キャッチアーム
１３  キャッチ開口
１５  中間プレート
１６  スロット
１７  傾斜路
【図１】
2006505106.tif 000003
【図２】
2006505106.tif 000004
【国際調査報告】
2006505106.tif 000005
2006505106.tif 000006
2006505106.tif 000007
2006505106.tif 000008